(57)【特許請求の範囲】
【請求項１】
建物躯体壁に形成された開口部に設けられる建具周囲枠の縦枠部と、同建物躯体壁の背方スペースに組立設置されるユニットルームの壁パネルの端部とを、建具横小壁部材を介し連結閉塞して、該建具横小壁部材と同壁パネルとでユニットルームの壁コーナー部分を形成してなるユニットルーム出入口枠構造であって、建具周囲枠の縦枠部を背方スペースへ突出延設し、該縦枠部の背方へ突出した部分の裏側に建具横小壁部材の片側部を結合固定して、該建具横小壁部材の他側部を同縦枠部の裏側へ突設し、該建具横小壁部材の突設された他側部の背面に壁パネルの端面をビス、釘等の固着具にて結合し、該他側部での結合部位を両側水平方向に位置変更自在となしたユニットルーム出入口枠構造。
【請求項２】
建具横小壁部材を断面略Ｌ字状の型材で形成し、該建具横小壁部材の一辺をその片側部として縦枠部の裏側に結合固定し、同建具横小壁部材のもう一方の辺を他側部としてその背面に壁パネルの端面を結合したことを特徴とする請求項１記載のユニットルーム出入口枠構造。
【請求項３】
建具横小壁部材の他側部に横長の長孔を形成し、該長孔に挿通される固着具の同長孔に対する長手方向における位置変更によって、同他側部での結合部位を両側水平方向に位置変更自在となしたことを特徴とする請求項２記載のユニットルーム出入口枠構造。
【請求項４】
長孔を複数の同径円形孔が横方向に開口連設されただるま孔状に形成し、隣接する円形孔が連通する部分の開口巾寸法を固着具の挿通部分の軸径寸法よりも小さく設定したことを特徴とする請求項３記載のユニットルーム出入口枠構造。
【請求項５】
隣接する円形孔が連通する部分の開口両側孔縁にＲ状の加工を施したことを特徴とする請求項４記載のユニットルーム出入口枠構造。
【請求項６】
建具周囲枠の縦枠部を本体部材と該本体部材の側方へ進退位置調整自在に接合して突出延設される枠縁部材とで形成し、該枠縁部材の裏側に建具横小壁部材の片側部を結合固定したことを特徴とする請求項１〜５のいずれか一つに記載のユニットルーム出入口枠構造。
【発明の詳細な説明】
【０００１】
【発明の属する技術分野】
本発明は、建物躯体壁の開口部に設けられる建具周囲枠とユニットルームの壁パネルの端部とを連結して形成されるユニットルーム出入口枠構造に関するものである。
【０００２】
【従来の技術】
近年、浴室、洗面室、トイレ等でバリアフリー化が図られるようになって、より高い防水性や気密性が求められている。ところで、従来の在来工法に比べてユニットルームでは防水性、耐水性のみならず気密性の面でも優れており、そのため、浴室だけでなくトイレや洗面室までもがユニットルーム化されるようになってきた。又、トイレ、洗面室等をユニットルーム化すると、床、壁、天井等のパネルや水洗便器、手洗い洗面台、照明器具等の設備をトータルでコーディネイトすることが可能となり、ユーザー（お客様）にとってもより使い易いサニタリールームとなる。
【０００３】
そして、従来から、図１３に示す如く、建物躯体壁Ａの背方スペースＳにトイレや洗面室となるユニットルームＢを組立設置する施工が行われている。この場合には、建物躯体壁Ａに形成された開口部１に設けられる建具周囲枠２の縦枠部３と、同建物躯体壁Ａの背方スペースＳに組立設置されるユニットルームＢの壁パネル４の端部とを、建具横小壁部材５を介し連結閉塞して、該建具横小壁部材５と同壁パネル４とでユニットルームＢの壁コーナー部分を形成してなるユニットルーム出入口枠構造が構成される。
【０００４】
又、この場合、建物躯体壁Ａの手前側は廊下となり、該廊下とユニットルームＢ内とを連通する出入口が建具周囲枠２によって形成される。建具周囲枠２は両側に縦枠部３を有し、各縦枠部３の中程に戸当り部材１４が付設され、両戸当り部材１４の手前側で同建具周囲枠２内には、片開き戸や引き戸等の内装建具１５が開閉自在に設置される。したがって、該ユニットルーム出入口枠構造では、ユニットルームＢ内と廊下との間においても、高い防水性や気密性が保持される。
【０００５】
【発明が解決しようとする課題】
しかしながら、通常、内装建具１５には巾寸法の異なる複数の種類が存在し、建具周囲枠２の巾寸法（両縦枠部３間寸法）もこれに応じて変化する。このような場合、上記従来の技術にあっては、建具周囲枠２に隣接する建具用小壁部材５の巾寸法を前記建具周囲枠２の巾寸法に対応するように変化、すなわち、異なる巾寸法に設定された建具用小壁部材５を複数種類品揃えして対応している。すなわち、巾寸法の異なる内装建具１５に応じて複数種類の建具用小壁部材５を必要とするので、部材のＭＴ化に支障を来すという問題があった。
【０００６】
本発明は、上記従来の技術における問題を悉く解決するために発明されたもので、その課題は、高い防水性や気密性が確保され、部材のＭＴ化も図られるユニットルーム出入口枠構造を提供することである。
【０００７】
【課題を解決するための手段】
本発明の請求項１記載のユニットルーム出入口枠構造は、建物躯体壁に形成された開口部に設けられる建具周囲枠の縦枠部と、同建物躯体壁の背方スペースに組立設置されるユニットルームの壁パネルの端部とを、建具横小壁部材を介し連結閉塞して、該建具横小壁部材と同壁パネルとでユニットルームの壁コーナー部分を形成してなるユニットルーム出入口枠構造であって、建具周囲枠の縦枠部を背方スペースへ突出延設し、該縦枠部の背方へ突出した部分の裏側に建具横小壁部材の片側部を結合固定して、該建具横小壁部材の他側部を同縦枠部の裏側へ突設し、該建具横小壁部材の突設された他側部の背面に壁パネルの端面をビス、釘等の固着具にて結合し、該他側部での結合部位を両側水平方向に位置変更自在となしたものである。
【０００８】
したがって、この場合、ユニットルーム内は防水性及び気密性に優れ、その出入口部分においても、建具周囲枠の縦枠部とユニットルームの壁パネルの端部とが建具横小壁部材を介し連結閉塞されて、高い防水性や気密性が確保される。しかも、建具周囲枠の縦枠部とユニットルームの壁パネルの端部とを建具横小壁部材を介し連結して、同ユニットルームの壁コーナー部分を容易に形成することができる。
【０００９】
又、その際、建具周囲枠の縦枠部が背方スペースへ突出延設され、該縦枠部の背方へ突出した部分の裏側に建具横小壁部材の片側部が結合固定されて、該建具横小壁部材の他側部が同縦枠部の裏側へ突設され、該建具横小壁部材の突設された他側部の背面に壁パネルの端面がビス、釘等の固着具にて結合されるので、施工時の組立作業は簡単で確実なものとなる。しかも、前記建具横小壁部材の他側部での結合部位は両側水平方向に位置変更自在であるため、内装建具の巾寸法に応じ建具周囲枠の巾寸法が変化しても、同建具横小壁部材にて対応することができ、部材のＭＴ化が図られる。
【００１０】
本発明の請求項２記載のユニットルーム出入口枠構造は、上記請求項１記載のユニットルーム出入口枠構造において、建具横小壁部材を断面略Ｌ字状の型材で形成し、該建具横小壁部材の一辺をその片側部として縦枠部の裏側に結合固定し、同建具横小壁部材のもう一方の辺を他側部としてその背面に壁パネルの端面を結合したことを特徴とする。
【００１１】
したがって、この場合は特に、建具横小壁部材が断面略Ｌ字状の型材で形成されて、反ったり曲がったりする変形を生じ難くなり、該建具横小壁部材を介して建具周囲枠の縦枠部とユニットルームの壁パネルの端面とは確実に連結され、該壁パネルと同建具横小壁部材とで形成されるユニットルームの壁コーナー部分が強固なものとなる。
【００１２】
本発明の請求項３記載のユニットルーム出入口枠構造は、上記請求項２記載のユニットルーム出入口枠構造において、建具横小壁部材の他側部に横長の長孔を形成し、該長孔に挿通される固着具の同長孔に対する長手方向における位置変更によって、同他側部での結合部位を両側水平方向に位置変更自在となしたことを特徴とする。
【００１３】
したがって、この場合は特に、建具横小壁部材に形成された長孔に固着具が挿通され、該固着具の同長孔に対する長手方向における位置変更によって、ユニットルームの壁パネルの端面と同建具横小壁部材の他側部の背面とは、相互に両側水平方向で位置変更自在となって結合され、該位置変更を伴う結合作業を容易に行うことができる。
【００１４】
本発明の請求項４記載のユニットルーム出入口枠構造は、上記請求項３記載のユニットルーム出入口枠構造において、長孔を複数の同径円形孔が横方向に開口連設されただるま孔状に形成し、隣接する円形孔が連通する部分の開口巾寸法を固着具の挿通部分の軸径寸法よりも小さく設定したことを特徴とする。
【００１５】
したがって、この場合は特に、長孔が複数の同径円形孔が横方向に開口連設されただるま孔状に形成され、隣接する円形孔が連通する部分の開口巾寸法が固着具の挿通部分の軸径寸法よりも小さく設定されるので、該固着具の挿通部分は同隣接する円形孔間の開口を通過できなくなる。そのため、長孔のいずれかの円形孔に挿通された固着具に対する建具横小壁部材の両側水平方向での移動が抑制されて、該建具横小壁部材の他側部の背面にユニットルームの壁パネルの端面はずれ動かないよう位置決めされて確実に結合され、位置変更を伴う同結合作業を設定位置に対応して正確に行うことができる。
【００１６】
本発明の請求項５記載のユニットルーム出入口枠構造は、上記請求項４記載のユニットルーム出入口枠構造において、隣接する円形孔が連通する部分の開口両側孔縁にＲ状の加工を施したことを特徴とする。
【００１７】
したがって、この場合は特に、長孔の隣接する円形孔が連通する部分の開口両側孔縁にＲ状の加工が施されるので、プレス打ち抜き加工等で同長孔を形成した際にその孔縁には尖った部分がなくなってバリを発生せず、製造時のみならず施工時にも建具横小壁部材は安全なものとなる。
【００１８】
本発明の請求項６記載のユニットルーム出入口枠構造は、上記請求項１〜５のいずれか一つに記載のユニットルーム出入口枠構造において、建具周囲枠の縦枠部を本体部材と該本体部材の側方へ進退位置調整自在に接合して突出延設される枠縁部材とで形成し、該枠縁部材の裏側に建具横小壁部材の片側部を結合固定したことを特徴とする。
【００１９】
したがって、この場合は特に、建具周囲枠の縦枠部が本体部材とその側方へ進退位置調整自在に接合して突出延設される枠縁部材とで形成され、該枠縁部材の裏側に建具横小壁部材の片側部が結合固定されるので、同枠縁部材を進退させ位置調整して建物躯体壁とユニットルームとの間隔寸法の変化に対応することができる。
【００２０】
すなわち、建物躯体壁とユニットルームとの間隔寸法が大きい場合には枠縁部材を本体部材から大きく突出させ、同間隔寸法が小さい場合には枠縁部材を本体部材から小さく突出させ、このように位置調整されて本体部材に接合された枠縁部材の裏側に建具横小壁部材の片側部を無理なく結合固定することができる。それ故、建具周囲枠の縦枠部とユニットルームの壁パネルの端部とが建具横小壁部材を介し確実に連結閉塞されて、防水性や気密性が向上される。
【００２１】
【発明の実施の形態】
図１〜１２は、本発明の請求項１〜６全てに対応する一実施形態を示す。該実施形態のユニットルーム出入口枠構造は、図１、２に示す如く、建物躯体壁Ａに形成された開口部１に設けられる建具周囲枠２の縦枠部３と、同建物躯体壁Ａの背方スペースＳに組立設置されるユニットルームＢの壁パネル４の端部とを、建具横小壁部材５を介し連結閉塞して、該建具横小壁部材５と同壁パネル４とでユニットルームＢの壁コーナー部分を形成してなる。
【００２２】
そして、該実施形態のユニットルーム出入口枠構造においては、建具周囲枠２の縦枠部３を背方スペースＳへ突出延設し、該縦枠部３の背方へ突出した部分の裏側に建具横小壁部材５の片側部６を結合固定して、該建具横小壁部材５の他側部７を同縦枠部３の裏側へ突設し、該建具横小壁部材５の突設された他側部７の背面に壁パネル４の端面をビス、釘等の固着具８にて結合し、該他側部７での結合部位を両側水平方向に位置変更自在となしている。
【００２３】
又、該実施形態のユニットルーム出入口枠構造においては、建具横小壁部材５を断面略Ｌ字状の型材で形成し、該建具横小壁部材５の一辺５ａをその片側部６として縦枠部３の裏側に結合固定し、同建具横小壁部材５のもう一方の辺５ｂを他側部７としてその背面に壁パネル４の端面を結合している。この場合に、図３に示す如く、建具横小壁部材５の他側部７に横長（図３（ａ）では上下方向となる）の長孔９を形成し、該長孔９に挿通される前記固着具８の同長孔９に対する長手方向における位置変更によって、同他側部７での結合部位を両側水平方向に位置変更自在となしている。
【００２４】
更に、この場合に、図４に示す如く、長孔９を複数（ここでは二つ）の同径ｄの円形孔１０が横方向に開口連設されただるま孔状に形成し、隣接する円形孔１０が連通する部分の開口巾寸法ｅを固着具８の挿通部分の軸径寸法ｆよりも小さく設定している。又、ここで、隣接する円形孔１０が連通する部分の開口両側孔縁にＲ状の加工を施している。
【００２５】
又、該実施形態のユニットルーム出入口枠構造においては、図１、２に示す如く、建具周囲枠２の縦枠部３を本体部材１１と該本体部材１１の側方へ進退位置調整自在に接合して突出延設される枠縁部材１２とで形成し、該枠縁部材１２の裏側に建具横小壁部材５の片側部６を結合固定している。この場合、本体部材１１の前後両側方に枠縁部材１２が接合されており、いずれの枠縁部材１２も同本体部材１１の前後端面に形成された凹溝１３に進退自在に挿入嵌合されて突出延設されている。
【００２６】
ここでは、手前側へ突出延設された枠縁部材１２は建物躯体壁Ａに形成された開口部１の開口縁に係止され、背方後側へ突出延設された枠縁部材１２の裏側に建具横小壁部材５の片側部６が結合固定されている。又、建具周囲枠２の両側に同様の縦枠部３が配設され、両縦枠部３の各本体部材１１の中程内側面に戸当り部材１４が嵌合付設され、両戸当り部材１４の手前側で同建具周囲枠２内には、片開き戸や引き戸等の内装建具１５（ここでは片開き戸）が開閉自在に設置されている。
【００２７】
そして、建物躯体壁Ａの手前側は廊下となり、該廊下とユニットルームＢ内とを連通する出入口が建具周囲枠２によって形成され、同ユニットルームＢ内と廊下との間の出入口で高い防水性や気密性が確保される。又、縦枠部３の本体部材１１から背方後側へ突出延設された枠縁部材１２の裏側には、後記の如く、接続用枠１６を介して建具横小壁部材５の片側部６が結合固定されている。又、ユニットルームＢの壁パネル４は金属フレーム１７の表面に珪酸カルシウム板、合成樹脂板等の化粧パネル１８を貼着してなり、該化粧パネル１８の裏側で同金属フレーム１７の内側には、断熱材１９が必要に応じて付設される。
【００２８】
図５に示す如く、ユニットルームＢは床パネル２０の周囲に複数の壁パネル４が立設され、該壁パネル４の上端間に天井パネル２１が架設されて、前記建物躯体壁Ａの背方スペースＳに組立設置される。この場合、床パネル２０上には水洗便器２２や手洗い洗面台２３等が配設され、壁パネル４には窓枠２４や収納キャビネット２５等が組み込まれ、天井パネル２１には照明器具内蔵ボックス２６や換気扇２７等が付設される。このようにトイレ、洗面室等をユニットルーム化することで、床、壁、天井や各種設備のトータルコーディネイトが可能となり、ユーザー（お客様）にとってもより使い易いサニタリールームとなる。
【００２９】
そして、ユニットルームＢの一壁面においては、袖壁パネル２８が立設され、該袖壁パネル２８の側方に接続用枠１６が連設され、該接続用枠１６の上方に上小壁パネル２９が付設される。この場合、図６に示す如く、袖壁パネル２８に接続用枠１６の一方の縦枠材３０が、建具横小壁部材５の片側部６に同接続用枠１６の他方の縦枠材３０が、各々ビス、釘等の固着具８にて結合固定される。又、図７に示す如く、接続用枠１６は両側の縦枠材３０と下枠レール材３１及び上枠材３２とを枠組み結合して形成される。
【００３０】
ここでは、縦枠材３０の上下両端部の内側に上枠材３２及び下枠レール材３１の端部が突き付けられ、固着具８にて結合固定される。その際、固着具８はタッピングネジで、図８に示す如く、上枠材３２に形成されたタッピング溝３３の端部開口にねじ込まれる（下枠レール材３１でも同じ）。そして、図９に示す如く、縦枠材３０と上枠材３２との突き付け結合部分はシリコン等のコーキング材３４でシーリングされる（下枠レール材３１でも同じ）。
【００３１】
又、図６、７に示す如く、接続用枠１６の上枠材３２上にはその両側でガイドピン３５が固着具８にて取り付けられ、該ガイドピン３５を介して、図５に示す如く、同接続用枠１６の上側に上小壁パネル２９がネジ固定される。この場合、図６に示す如く、前記建具横小壁部材５が接続用枠１６よりも上方へ延設されてユニットルームＢの高さ略全長にわたるため、該建具横小壁部材５を介して上小壁パネル２９も建具周囲枠２の縦枠部３と同様にユニットルームＢの壁パネル４の端部に連結閉塞されて、この部分における防水性や気密性も確保される。
【００３２】
ところで、図３に示す如く、建具横小壁部材５は断面略Ｌ字状で長尺なアルミニウム型材でなり、その表面にはアルマイト処理が施されている。そして、断面略Ｌ字状の短い方の一辺５ａが片側部６となり、もう一方の長い方の辺５ｂが他側部７となり、建具横小壁部材５の同片側部６には、前記接続用枠１６を介し縦枠部３の枠縁部材１２裏側に結合固定するための上下方向（図３（ｂ）では左右方向）に長いスリット３６が複数配設形成されている。なお、建具横小壁部材５の長孔９やスリット３６が配設される部分には、長手方向全長にわたり内側へ突出して厚肉となる凸段部３７が形成されている。
【００３３】
前記建具横小壁部材５の他側部７には、図４にも示す如く、横長の長孔９が前記スリット３６と対応する位置に複数配設形成されている。この場合、二つの同径ｄの円形孔１０が横方向に開口連設されただるま孔状に長孔９が形成され、隣接する円形孔１０が連通する部分の開口巾寸法ｅは固着具８の挿通部分の軸径寸法ｆよりも小さく設定され（ここではｅ＝２．１５ｍｍ）、又、隣接する同円形孔１０が連通する部分の開口両側孔縁には約１ｍｍのＲ状の加工が施されている。
【００３４】
そして、長孔９の両円形孔１０の中心間距離Ｌは、同円形孔１０の半径ｒの和（２ｒ＝ｄすなわち直径）よりも大きく、同円形孔１０の直径ｄの和（２ｄ）よりも小さく設定されており（２ｒ＝ｄ＜Ｌ＜２ｄ）、ここでは、ｄ＝４．５ｍｍ  で、Ｌ＝５ｍｍとなっている。なお、隣接する両円形孔１０が近接して重なる場合は、Ｌ＜２ｒ＝ｄと設定される。
【００３５】
それ故、図１０に示す如く、金属フレーム１７に化粧パネル１８が貼着されたユニットルームＢの壁パネル４の端面に建具横小壁部材５の他側部７を固着具８にて結合する際に、該結合部位は両側水平方向に位置変更自在となるのであるが、該位置変更は前記長孔９の両円形孔１０の中心間距離Ｌの寸法だけ行われる。すなわち、内装建具１５の巾寸法に応じ建具周囲枠２の巾寸法が変化しても、図１１に示す如く、同じ建具横小壁部材５にて対応することができ、その際の調整寸法は前記円形孔１０の中心間距離Ｌである。
【００３６】
ここで、内装建具１５が大きくて建具周囲枠２の巾が広くなるときには、図１１（ａ）に示す如く、前記接続用枠１６とユニットルームＢの壁パネル４との距離が小さくなり（寸法Ｌ１）、逆に、内装建具１５が小さくて建具周囲枠２の巾が狭くなるときには、図１１（ｂ）に示す如く、同接続用枠１６と壁パネル４との距離が大きくなる（寸法Ｌ２）。この場合、Ｌ２−Ｌ１＝Ｌであり、該寸法Ｌだけ結合位置が変更調整される。
【００３７】
又、図１２（ａ）に示す如く、建具横小壁部材５の他側部７の背面には、長孔９の横に近接して表示シール３７が貼着されている。この表示シール３７は、前記図１１（ａ）に示す如く、接続用枠１６と壁パネル４との距離が寸法Ｌ１となる施工形態、図１１（ｂ）に示す如く、同距離が寸法Ｌ２となる施工形態、のいずれの施工形態の場合において、長孔９のどちら側の円形孔１０を使用するかを矢印で表示するものである。ここでは、図１２（ａ）の上側の矢印が寸法Ｌ２となる施工形態の場合に使用する円形孔１０を指し示し、下側の矢印が寸法Ｌ１となる施工形態の場合に使用する円形孔１０を指し示している。
【００３８】
更に、この場合、建具横小壁部材５の他側部７には長手方向に複数の長孔９が配設形成されており、該長孔９には、同建具横小壁部材５の一端側から孔加工位置を順に追った組の長孔９ａと、他端側から孔加工位置を順に追った組の長孔９ｂとが存在している。ここでは、一方の組の長孔９ａが一端側からａ１、ａ２、ａ３、ａ３、ａ３の各寸法で順に位置設定され、他方の組の長孔９ｂが他端側からｂ１、ｂ２、ｂ３、ｂ３、ｂ３の各寸法で順に位置設定され、ここにおいて、各ａ１、ａ２、ａ３、ａ３、ａ３の寸法は各ｂ１、ｂ２、ｂ３、ｂ３、ｂ３の寸法と各々相対応して等しくされる。
【００３９】
それ故、建具横小壁部材５は左右反転させて使用することができるものとなって左右共通となり、同建具横小壁部材５を上下逆にしても同様に結合固定することができる。又、図１２（ｂ）に示す如く、建具横小壁部材５の片側部６には長手方向に複数のスリット３６が配設形成されており、該スリット３６も前記長孔９と同様に同建具横小壁部材５の両端側から各々ｃ１、ｃ２、ｃ３、ｃ３、ｃ４の各寸法で順に位置設定されていて、前記左右反転させての使用には支障とならない。ただ、前記最端に位置する両長孔９ａ、９ｂが近接して存在するため、該両９ａ、９ｂには一つのスリット３６で対応することができ、そのために、前記最終の寸法ａ３、ｂ３に対して同スリット３６の最終の寸法ｃ４が異なっている。
【００４０】
したがって、該実施形態のユニットルーム出入口枠構造においては、ユニットルームＢ内は防水性及び気密性に優れ、その出入口部分においても、建具周囲枠２の縦枠部３とユニットルームＢの壁パネル４の端部とが建具横小壁部材５を介し連結閉塞されて、高い防水性や気密性が確保される。しかも、建具周囲枠２の縦枠部３とユニットルームＢの壁パネル４の端部とを建具横小壁部材５を介して連結することで、同ユニットルームＢの壁コーナー部分を容易に形成することができる。
【００４１】
又、その際、建具周囲枠２の縦枠部３が背方スペースＳへと突出延設され、該縦枠部３の背方へ突出した部分の裏側に建具横小壁部材５の片側部６が結合固定されて、該建具横小壁部材５の他側部７が同縦枠部３の裏側へ突設され、該建具横小壁部材５の突設された他側部７の背面に壁パネル４の端面がビス、釘等の固着具８にて結合されるので、施工時の組立作業は簡単で確実なものとなる。
【００４２】
しかも、前記建具横小壁部材５の他側部７における結合部位は両側水平方向で二ケ所に位置変更され得るため、内装建具１５の巾寸法に応じ建具周囲枠２の巾寸法が変化しても、同じ建具横小壁部材５にて対応することができ、該建具横小壁部材５のＭＴ化が図られる。
【００４３】
又、該実施形態のユニットルーム出入口枠構造においては、建具横小壁部材５が断面略Ｌ字状の型材で形成されて、反ったり曲がったりする変形を生じ難いため、該建具横小壁部材５を介して建具周囲枠２の縦枠部３とユニットルームＢの壁パネル４の端面とは確実に連結され、該壁パネル４と同建具横小壁部材５とで形成されるユニットルームＢの壁コーナー部分が強固なものとなる。
【００４４】
更に、該実施形態のユニットルーム出入口枠構造においては、建具横小壁部材５に形成された長孔９に固着具８が挿通され、該固着具８の同長孔９に対する長手方向における位置変更によって、ユニットルームＢの壁パネル４の端面と同建具横小壁部材５の他側部７の背面とは、相互に両側水平方向で二ケ所に位置変更されて結合され、該位置変更を伴う結合作業を容易に行うことができる。
【００４５】
しかも、この場合、長孔９が二つの同径ｄの円形孔１０が横方向に開口連設されただるま孔状に形成され、隣接する円形孔１０が連通する部分の開口巾寸法ｅが固着具８の挿通部分の軸径寸法ｆよりも小さく設定されるので、該固着具８の挿通部分は同隣接する円形孔１０間の開口を通過できなくなる。そのため、長孔９のいずれかの円形孔１０に挿通された固着具８に対する建具横小壁部材５の両側水平方向での移動が抑制されて、該建具横小壁部材５の他側部７の背面にユニットルームＢの壁パネル４の端面はずれ動かないよう位置決めされて確実に結合され、位置変更を伴う同結合作業を設定位置に対応して正確に行うことができる。
【００４６】
又、この場合、長孔９の隣接する円形孔１０が連通する部分の開口両側孔縁にＲ状の加工が施されるので、プレス打ち抜き加工等で同長孔９を形成した際にその孔縁には尖った部分がなくなってバリを発生せず、製造時のみならず施工時にも建具横小壁部材５は安全なものとなる。
【００４７】
更に、又、該実施形態のユニットルーム出入口枠構造においては、建具周囲枠２の縦枠部３が本体部材１１とその側方へ進退位置調整自在に接合して突出延設される枠縁部材１２とで形成され、該枠縁部材１２の裏側に建具横小壁部材５の片側部６が結合固定されるので、同枠縁部材１２を進退させ位置調整して建物躯体壁ＡとユニットルームＢとの間隔寸法の変化に対応することができる。
【００４８】
すなわち、建物躯体壁ＡとユニットルームＢとの間隔寸法が大きい場合には枠縁部材１２を本体部材１１から大きく突出させ、同間隔寸法が小さい場合には枠縁部材１２を本体部材１１から小さく突出させ、このように位置調整されて本体部材１１に接合された枠縁部材１２の裏側に建具横小壁部材５の片側部６を無理なく結合固定することができる。それ故、建具周囲枠２の縦枠部３とユニットルームＢの壁パネル４の端部とが建具横小壁部材５を介し確実に連結閉塞されて、防水性や気密性が向上される。
【００４９】
【発明の効果】
上述の如く、本発明の請求項１記載のユニットルーム出入口枠構造では、建具周囲枠とユニットルームの壁パネルとの間が建具横小壁部材で閉塞されて高い防水性や気密性が確保され、同両者の間を同建具横小壁部材を介して連結することで、同ユニットルームの壁コーナー部分を容易に形成することもできる。又、その際の組立作業は簡単且つ確実で、しかも、内装建具の相違により建具周囲枠の巾寸法が変化しても、同じ建具横小壁部材での対応が可能で、部材のＭＴ化が図られる。
【００５０】
又、本発明の請求項２記載のユニットルーム出入口枠構造では、特に、建具横小壁部材が断面略Ｌ字状で変形し難く、該建具横小壁部材を介して建具周囲枠の縦枠部とユニットルームの壁パネルの端面とは確実に連結され、ユニットルームの壁コーナー部分が強固となる。
【００５１】
又、本発明の請求項３記載のユニットルーム出入口枠構造では、特に、長孔に対する固着具の位置変更によって、ユニットルームの壁パネルの端面と建具横小壁部材の他側部の背面とは、相互に両側水平方向で位置変更自在となって結合され、該位置変更を伴う結合作業を容易に行うことができる。
【００５２】
又、本発明の請求項４記載のユニットルーム出入口枠構造では、特に、長孔のいずれかの円形孔に挿通された固着具に対する建具横小壁部材の両側水平方向での移動が抑制されて、該建具横小壁部材の他側部の背面にユニットルームの壁パネルの端面はずれ動かないよう位置決めされて確実に結合され、位置変更を伴う同結合作業を設定位置に対応して正確に行うことができる。
【００５３】
又、本発明の請求項５記載のユニットルーム出入口枠構造では、特に、長孔の孔縁にＲ状の加工が施されて、プレス打ち抜き加工等で同長孔を形成した際にその孔縁には尖った部分がなくなってバリを発生せず、製造時のみならず施工時にも建具横小壁部材は安全なものとなる。
【００５４】
又、本発明の請求項６記載のユニットルーム出入口枠構造では、特に、位置調整されて本体部材に接合された枠縁部材の裏側に建具横小壁部材の片側部を無理なく結合固定することができ、建物躯体壁とユニットルームとの間隔寸法の変化に対応することができて、両者間は同建具横小壁部材で確実に連結閉塞され、防水性や気密性が向上される。
【図面の簡単な説明】
【図１】本発明の一実施形態であるユニットルーム出入口枠構造を示す横断面図。
【図２】同ユニットルーム出入口枠構造の要部横断面図。
【図３】同ユニットルーム出入口枠構造における建具横小壁部材を示し、（ａ）はその要部背面図、（ｂ）はその要部平面図、（ｃ）はその側面図。
【図４】同建具横小壁部材に形成される長孔を示す正面図。
【図５】図ユニットルーム出入口枠構造が施工されるユニットルーム全体を示す分解斜視図。
【図６】同ユニットルーム出入口枠構造の施工状態を示す斜視図。
【図７】同ユニットルーム出入口枠構造に使用される接続用枠の枠組み状態を示す斜視図。
【図８】同接続用枠の枠組み状態における要部斜視図。
【図９】同接続用枠の枠組み状態における要部斜視図。
【図１０】同ユニットルーム出入口枠構造の施工状態を示す要部斜視図。
【図１１】同ユニットルーム出入口枠構造の（ａ）、（ｂ）各々別の施工状態を示す要部概略横断面図。
【図１２】同ユニットルーム出入口枠構造における建具横小壁部材を示し、（ａ）はその背面図、（ｂ）はその平面図。
【図１３】従来例であるユニットルーム出入口枠構造を示す横断面図。
【符号の説明】
Ａ  建物躯体壁
Ｂ  ユニットルーム
Ｓ  背方スペース
１  開口部
２  建具周囲枠
３  縦枠部
４  壁パネル
５  建具横小壁部材
５ａ  一辺
５ｂ  もう一方の辺
６  片側部
７  他側部
８  固着具
９  長孔
９ａ  長孔
９ｂ  長孔
１０  円形孔
１１  本体部材
１２  枠縁部材
ｄ  円形孔の径寸法
ｅ  円形孔が重なった部分の開口巾寸法
ｆ  固着具の挿通部分の軸径寸法
【図１】
0003601452.tif 000002
【図２】
0003601452.tif 000003
【図３】
0003601452.tif 000004
【図４】
0003601452.tif 000005
【図５】
0003601452.tif 000006
【図６】
0003601452.tif 000007
【図７】
0003601452.tif 000008
【図８】
0003601452.tif 000009
【図９】
0003601452.tif 000010
【図１０】
0003601452.tif 000011
【図１１】
0003601452.tif 000012
【図１２】
0003601452.tif 000013
【図１３】
0003601452.tif 000014